(57)【要約】      （修正有）【課題】極めて簡易な構成でありながらガード部材を天板に強固に固定することができ、デザイン上も優れたＸ線撮影用の検診台を提供する。【解決手段】天板レール２２にガード部材２３を装着するときには、溝部３４内にガード部材２３の端縁を挿入する。そして、ネジ孔３６に対してネジ３７を螺号し、締め付ける。これにより、ネジ３７の頭部がガード部材２３を押圧する。このガード部材２３は樹脂から構成されており、適度の可撓性を有する。このため、ガード部材２３におけるネジ３７により押圧された領域は、凹部３５内に侵入する。これにより、ガード部材２３を天板レール２２に対して強固に固定することが可能となる。【選択図】図５
0003194700.tif 000002
【実用新案登録請求の範囲】
【請求項１】
被検者を載置する天板と、
Ｘ線管から照射され前記被検者を通過したＸ線を検出するＸ線検出部と、
前記天板と前記Ｘ線検出部とを相対的に移動させる移動機構と、
前記天板に配設されたガード部材と、
を備えたＸ線撮影用の検診台において、
前記天板には、前記天板の長手方向を向く、前記ガード部材の端縁を挿入可能な溝部が側面から形成されるとともに、
前記ガード部材を前記溝部に固定するための固定手段を備えたことを特徴とするＸ線撮影用の検診台。
【請求項２】
請求項１に記載のＸ線撮影用の検診台において、
前記天板には、下面から前記溝部に至る複数のネジ孔が形成されるとともに、前記複数のネジ孔と各々螺合することにより前記ガード部材に当接する複数のネジを備えるＸ線撮影用の検診台。
【請求項３】
請求項２に記載のＸ線撮影用の検診台において、
前記ガード部材は可撓性材料より構成されるとともに、
前記溝部の上面における前記複数のネジ孔と対向する位置には、凹部が形成されるＸ線撮影用の検診台。
【請求項４】
請求項１から請求項３のいずれかに記載のＸ線撮影用の検診台において、
前記天板は、Ｘ線透過部材よりなる天板本体と、前記天板本体における対向する一対の端縁を支持する金属製押出材からなる一対の天板レールとから構成され、
前記溝部は、前記一対の天板レールの少なくとも一方に形成されるＸ線撮影用の検診台。
【考案の詳細な説明】
【技術分野】
【０００１】
この考案は、被検者を載置するための、Ｘ線検出部と相対的に移動可能な天板を備えたＸ線撮影用の検診台に関する。
【背景技術】
【０００２】
このようなＸ線撮影用の検診台は、被検者を載置する天板と、Ｘ線管から照射され被検者を通過したＸ線を検出するＸ線検出部と、天板とＸ線検出部とを相対的に移動させる移動機構とを備えている（例えば、特許文献1参照）。そして、相対的に移動する天板とＸ線検出部との間に被検者の手が挟まれることを防止するために、天板に対してＸ線検出部を覆うように樹脂製のガード部材が配設されている。
【０００３】
図１は、このような検診台を備えたＸ線撮影装置の正面概要図である。
【０００４】
このＸ線撮影装置は、本体１５と、被検者Ｍを載置するための天板１１と、この天板１１上の被検者Ｍに対してＸ線を照射するＸ線管１２と、このＸ線管１２から照射されたＸ線の照射野を規制するためのコリメータ１３と、Ｘ線管１２から照射され被検者Ｍを通過したＸ線を検出するＸ線検出部１４とを備える。Ｘ線管１２とコリメータ１３とは、支柱１６により支持されている。支柱１６は、被検者Ｍの体軸方向に往復移動可能となっており、Ｘ線管１２およびコリメータ１３は、支柱１６に沿って昇降可能となっている。
【０００５】
図２は、検診台の平面図である。
【０００６】
天板１１は、Ｘ線透過部材よりなる天板本体２１と、天板本体２１における対向する一対の端縁を支持するアルミ押出材製の一対の天板レール２２とから構成される。この天板１１は、図２において矢印で示すＤ１方向およびＤ２方向に往復移動する。なお、図１に示すＸ線検出部１４も、図２に示すＤ２方向に往復移動する。一対の天板レール２２には、相対的に移動する天板１１とＸ線検出部１４との間に被検者Ｍの手が挟まれることを防止するために、Ｘ線検出部１４を覆うように樹脂製のガード部材２３が配設されている。
【０００７】
図６は、図２に示す検診台のＡ−Ａ部分断面図である。また、図７は、検診台におけるガード部材２３の取り付け状態を示す斜視図である。これらの図６および図７は、従来の検診台の構成を示している。
【０００８】
天板レール２２と天板本体２１とは、ネジ３３により強固に接続されている。天板レール２２は、検診台本体に配設された支持部材３１に配設されたベアリング３２により、図２に示すＤ２方向（図６における紙面に垂直な方向）に移動可能に支持されている。なお、この支持部材３１は、図示しない移動機構により、図２に示すＤ１方向（図６における左右方向）に移動可能となっている。
【０００９】
天板レール２２には、長尺のＬ型金具５１が、複数のネジ５３により固定されている。そして、ガード部材２３が、長尺の押さえ金具５２によりＬ型金具５１との間に挟持される。この押さえ金具５２は、複数のネジ５４によりＬ型金具５１に固定される。
【００１０】
Ｘ線検出部１４は、ケーシング４１と、ハンドル４３を備えたカセッテトレイ４２と、散乱線除去グリッド４４とを備える。このＸ線検出部１４は、ケーシング４１の下面に配設されたガイド部材４５の作用により、図２に示すＤ２方向（図６における紙面に垂直な方向）に移動可能に支持されている。ここで、カセッテトレイ４２は、内部にＸ線を検出するフィルムを収納するものである。
【先行技術文献】
【特許文献】
【００１１】
【特許文献１】特開２０００−２７９４０５号公報
【考案の開示】
【考案が解決しようとする課題】
【００１２】
ガード部材２３は、被検者Ｍの手を保護するのみではなく、オペレータがガード部材２３を引っ張ることにより天板１１を移動させることもあることから、このガード部材２３は天板１１に対して強固に固定されている必要がある。図６および図７に示す従来の検診台においては、ガード部材２３を天板１１における天板レール２２に固定するためにＬ型金具５１と押さえ金具５２とを使用する必要があり、構造が複雑であるばかりではなく、多数のネジ５３、５４を使用する必要がある。また、ガード部材２３にネジ５４を貫通させるための孔部を形成する必要がある。このため、上述した従来の検診台においては、ガード部材２３を天板１１に固定するための構造が複雑になるという問題がある。また、上述した従来の検診台においては、ガード部材２３を固定するための構造物が斜め上方から視認されることから、装置のデザイン上も好ましいものではない。
【００１３】
この考案は上記課題を解決するためになされたものであり、極めて簡易な構成でありながらガード部材を天板に強固に固定することができ、デザイン上も優れたＸ線撮影用の検診台を提供することを目的とする。
【課題を解決するための手段】
【００１４】
請求項１に記載の考案は、被検者を載置する天板と、Ｘ線管から照射され前記被検者を通過したＸ線を検出するＸ線検出部と、前記天板と前記Ｘ線検出部とを相対的に移動させる移動機構と、前記天板に配設されたガード部材と、を備えたＸ線撮影用の検診台において、前記天板には、前記天板の長手方向を向く、前記ガード部材の端縁を挿入可能な溝部が側面から形成されるとともに、前記ガード部材を前記溝部に固定するための固定手段を備えたことを特徴とする。
【００１５】
請求項２に記載の考案は、請求項１に記載の考案において、前記天板には、下面から前記溝部に至る複数のネジ孔が形成されるとともに、前記複数のネジ孔と各々螺合することにより前記ガード部材に当接する複数のネジを備える。
【００１６】
請求項３に記載の考案は、請求項２に記載の考案において、前記ガード部材は可撓性材料より構成されるとともに、前記溝部の上面における前記複数のネジ孔と対向する位置には、凹部が形成される。
【００１７】
請求項４に記載の考案は、請求項１から請求項３のいずれかに記載の考案において、前記天板は、Ｘ線透過部材よりなる天板本体と、前記天板本体における対向する一対の端縁を支持する金属製押出材からなる一対の天板レールとから構成され、前記溝部は、前記一対の天板レールの少なくとも一方に形成される。
【考案の効果】
【００１８】
請求項１に記載の考案によれば、溝部内にガード部材の端縁を挿入した後に固定することにより、極めて簡単な構成でありながら、ガード部材を天板に強固に固定することが可能となる。
【００１９】
請求項２に記載の考案によれば、溝部内にガード部材の端縁を挿入した後、ネジで固定することにより、極めて簡単な構成でありながら、ガード部材を天板に強固に固定することが可能となる。このとき、ガード部材を固定する構造物は上方からは視認されないことから、検診台のデザインを優れたものとすることが可能となる。
【００２０】
請求項３に記載の考案によれば、可撓性材料製のガード部材の一部が凹部内に侵入することから、ガード部材を天板にさらに強固に固定することが可能となる。
【００２１】
請求項４に記載の考案によれば、金属製押出材からなる天板レールを利用することにより、溝部が構成された天板レールを安価に製造することができ、検診台全体の製造コストを低減することが可能となる。
【図面の簡単な説明】
【００２２】
【図１】Ｘ線撮影装置の正面概要図である。
【図２】検診台の平面図である。
【図３】この考案に係る検診台の部分断面図である。
【図４】この考案に係る検診台におけるガード部材２３の取り付け状態を示す斜視図である。
【図５】ガード部材２３の取り付け工程を示す説明図である。
【図６】従来の検診台の部分断面図である。
【図７】従来の検診台におけるガード部材２３の取り付け状態を示す斜視図である。
【図８】Ｘ線透視撮影装置の正面概要図である。
【考案を実施するための形態】
【００２３】
以下、この考案の実施の形態を図面に基づいて説明する。図３は、図２に示す検診台のＡ−Ａ部分断面図である。また、図４は、検診台におけるガード部材２３の取り付け状態を示す斜視図である。これらの図３および図４は、この発明に係る検診台の構成を示している。なお、図６および図７に示す従来の検診台と同様の部材については、同様の符号を付している。
【００２４】
この考案に係る検診台における天板レール２２と天板本体２１とは、ネジ３３により強固に接続されている。天板レール２２は、検診台本体に配設された支持部材３１に配設されたベアリング３２により、図２に示すＤ２方向（図３における紙面に垂直な方向）に移動可能に支持されている。なお、この支持部材３１は、図示しない移動機構により、図２に示すＤ１方向（図３における左右方向）に移動可能となっている。
【００２５】
天板レール２２には、その側面から溝部３４が形成されている。すなわち、この天板レール２２は、アルミニウム製の押出材からなり、天板レール２２の長手方向を向く溝部３４が押出加工により延設されている。この溝部３４には、ガード部材２３の端縁が挿入され、ネジ３７により固定されている。なお、このガード部材２３は、ポリ塩化ビニール等の透明または半透明の樹脂より構成されている。
【００２６】
Ｘ線検出部１４は、ケーシング４１と、ハンドル４３を備えたカセッテトレイ４２と、散乱線除去グリッド４４とを備える。このＸ線検出部１４は、ケーシング４１の下面に配設されたガイド部材４５の作用により、図２に示すＤ２方向（図３における紙面に垂直な方向）に移動可能に支持されている。ここで、カセッテトレイ４２は、内部にＸ線を検出するフィルムを収納するものである。但し、フィルムではなく、フラットパネルディテクタ等、Ｘ線画像を電気信号として検出するＸ線検出器を使用してもよい。
【００２７】
図５は、ガード部材２３の取り付け工程を示す説明図である。
【００２８】
図５（ａ）に示すように、天板レール２２には、その長手方向を向く溝部３４が形成されている。そして、この溝部３４の上面には、天板レール２２の長手方向を向く凹部３５が形成されている。これらの溝部３４および凹部３５は、押出加工により製造されるアルミニウム製の天板レール２２の押出加工時に形成されたものである。そして、溝部３４における凹部３５と対向する位置には、複数のネジ孔３６が形成されている。
【００２９】
天板レール２２にガード部材２３を装着するときには、図５（ｂ）に示すように、溝部３４内にガード部材２３の端縁を挿入する。そして、図５（ｃ）に示すように、ネジ孔３６に対してネジ３７を螺号し、締め付ける。これにより、ネジ３７の頭部がガード部材２３を押圧する。このガード部材２３は樹脂から構成されており、適度の可撓性を有する。このため、ガード部材２３におけるネジ３７により押圧された領域は、図５（ｃ）に示すように、凹部３５内に侵入する。これにより、ガード部材２３を天板レール２２に対して強固に固定することが可能となる。
【００３０】
このとき、溝部３４が天板レール２２に対して斜め上方を向く方向に設けられており、また、ガード部材２３が可撓性を有する樹脂製であることから、ガード部材２３が自重で撓むことにより曲がりハンドル４３を含むＸ線検出部１４を囲む形状となる。このため、ガード部材２３を安価な平板で構成した場合においても、Ｘ線検出部１４付近を良好に取り囲むことが可能となる。
【００３１】
この考案に係る検診台においては、ガード部材２３を天板レール２２の下方側から固定する構成であることから、ガード部材２３として透明または半透明の部材を使用したとしても、ガード部材２３を固定するための構成は、斜め上方からは視認することができない。このため、デザイン性を向上させた検診台を得ることができる。
【００３２】
また、この考案にかかる検診台においては、少ない部品点数でガード部材２３を確実に固定することが可能となる。図４における本願のガード部材２３の取り付け部品と、図７に示す従来のガード部材２３の取り付け部品を比較すれば、必要とされる部品点数の差違は明白である。また、図４に示すように、この考案に係る検診台によれば、ガード部材２３に孔加工を施す必要がないことから、ガード部材２３の製造コストを低減することが可能となる。
【００３３】
図８は、上述した検診台を備えたＸ線透視撮影装置の正面概要図である。
【００３４】
このＸ線撮影装置は、被検者Ｍを載置するための天板１１と、この天板１１上の被検者Ｍに対してＸ線を照射するＸ線管１２と、このＸ線管１２から照射されたＸ線の照射野を規制するためのコリメータ１３と、Ｘ線管１２から照射され被検者Ｍを通過したＸ線を検出するＸ線検出部１４とを備える。Ｘ線管１２とコリメータ１３とは、本体１５に連結する支柱１６により支持されている。本体１５は、脚部１７に対して回動可能に配設されている。このため、天板１１は、その表面が床面２０と平行となって水平方向を向く臥位撮影姿勢と、天板１１の表面が床面２０と垂直となって鉛直方向を向く立位撮影姿勢とをとることができる。このような構成を有するＸ線透視撮影装置に対しても、上述したガード部材２３を上述した実施形態と同様の機構により配設することが可能となる。
【００３５】
なお、上述した実施形態においては、ガード部材２３を天板１１の両側に配設しているが、ガード部材は、天板の片側にのみ配設してもよい。
【００３６】
また、上述した実施形態においては、ガード部材２３を、ポリ塩化ビニール等の透明または半透明の樹脂より構成している。このような樹脂を採用した場合には、ガード部材２３の下方に対してもある程度の視界が得られるとともに、適度の弾性を有することから必要以上に垂れ下がることがなく、また、安価であるという特徴を有する。但し、このガード部材２３の材質として、金属等を採用してもよい。
【００３７】
また、上述した実施形態においては、凹部３５を天板レール２２の長手方向に延設しているが、この凹部３５は、少なくともネジ孔３６と対向する位置に形成されていればよい。但し、アルミニウム製の天板レール２２を押出加工するときに、この溝部３４を同時に形成すれば、製造コストを低減することが可能となる。
【００３８】
また、上述した実施形態においては、天板本体２１と天板レール２２とから天板１１を構成しているが、これらが一体として構成されてもよい。
【符号の説明】
【００３９】
１１      天板
１２      Ｘ線管
１４      Ｘ線検出部
１５      本体
２１      天板本体
２２      天板レール
２３      ガード部材
３１      支持部材
３２      ベアリング
３３      ネジ
３４      溝部
３５      凹部
３６      ネジ孔
３７      ネジ
４１      ケーシング
４２      カセッテトレイ
４３      ハンドル
Ｍ        被検者
【図１】
0003194700.tif 000003
【図２】
0003194700.tif 000004
【図３】
0003194700.tif 000005
【図４】
0003194700.tif 000006
【図５】
0003194700.tif 000007
【図６】
0003194700.tif 000008
【図７】
0003194700.tif 000009
【図８】
0003194700.tif 000010